(57)【要約】【課題】ホース長さ方向に折り畳みされた状態で櫛歯状の掛け具に掛けられて屋内の消火栓設備内等に収納される消防ホースの出荷輸送時の包装体であり、輸送時に加わる梱包箱内での消防ホースの移動によって生ずる衝撃や外部から加わる振動等を受けても該折り畳みされた状態を良好に維持でき、ひいては、屋内の消火栓設備内等に収納・設置することが容易である消防ホースの輸送用包装体を提供する。【解決手段】ホース長さ方向に折り畳みされた状態で櫛歯状の掛け具に掛けられて消火栓設備内に収納される消防ホースの輸送用包装体であり、ホース長さ方向に折り畳みされた状態で、少なくともテープ長さ方向と直角な方向に引裂き易い易引裂き性フィルムテープにより結束されて固定されていることを特徴とする消防ホースの輸送用包装体。【選択図】図１
2014212845.tif 000002
【特許請求の範囲】
【請求項１】
ホース長さ方向に折り畳みされた状態で櫛歯状の掛け具に掛けられて消火栓設備内に収納される消防ホースの輸送用包装体であり、ホース長さ方向に折り畳みされた状態で、少なくともテープ長さ方向と直角な方向に引裂き易い易引裂き性フィルムテープにより結束されて固定されていることを特徴とする消防ホースの輸送用包装体。
【請求項２】
前記易引裂き性フィルムテープにより結束されて固定されている箇所が２ケ所であることを特徴とする請求項１記載の消防ホースの輸送用包装体。
【発明の詳細な説明】
【技術分野】
【０００１】
本発明は消防ホースの輸送用包装体に関する。
【０００２】
更に詳しくは、特に、ホース長さ方向に折り畳みされた状態で櫛歯状の掛け具に掛けられて屋内の消火栓設備内等に収納される消防ホースの輸送用包装体に関する。
【背景技術】
【０００３】
従来、ホース長さ方向に折り畳みされた状態で櫛歯状の掛け具に掛けられて屋内の消火栓設備内等に収納される消防ホースの出荷輸送時の包装体は、折り畳みがされた状態で、その折り畳み長さの半分位の長さ（幅）を有する広幅の紙テープ状で１ケ所を覆うように結束して固定化する手法、あるいは幅数ｃｍという細幅の紙テープを複数カ所で結束して固定化する手法が採用されることが通常であった。
【０００４】
しかし、紙を使用する場合には、それが広幅であれ、細幅であれ、紙の強さが消防ホースの重量に比して弱い場合があり、出荷時は正常な包装状態であったとしても、輸送時に加わる梱包箱内での消防ホースの移動によって生ずる衝撃や外部から加わる振動等により紙が破れて、当初の折り畳みされた状態が維持できず崩れてしまうなどの不都合があった。
【０００５】
その折り畳み状態が崩れてしまうと、該折り畳み状態は、本来、上述した屋内の消火栓設備内等の櫛歯状の掛け具に適合するように形成されているものなので、屋内消火栓設備に該消防ホースを櫛歯に適切に掛けて収納することが非常に煩雑な作業を必要とすることになり、好ましくないものであった。
【０００６】
先行する技術文献として、ホース長さ方向に該消防ホースを折り畳みした状態で出荷輸送をする包装体に関係するものは、本発明者らが調査した結果では存在していなかった。
【０００７】
二重巻き消防ホースを輸送中に崩れないようにしたものとして、伸縮可能な結束具を使用する例が提案されているが（特許文献１）、該特許文献１に提案のものは、対象が二重巻き消防ホースであり、本発明のようなホース長さ方向に折り畳みされた状態で櫛歯状の掛け具に掛けられて屋内の消火栓設備内等に収納される消防ホースとは、ホース包装体として要求されることが全く相違するものであり、特に本発明とは関係のないものである。
【先行技術文献】
【特許文献】
【０００８】
【特許文献１】特開２００５−１７７４４４号公報
【発明の概要】
【発明が解決しようとする課題】
【０００９】
本発明の目的は、上述したような点に鑑み、ホース長さ方向に折り畳みされた状態で櫛歯状の掛け具に掛けられて屋内の消火栓設備内等に収納される消防ホースの出荷輸送時の包装体であり、輸送時に加わる梱包箱内での消防ホースの移動によって生ずる衝撃や外部から加わる振動等を受けても該折り畳みされた状態を良好に維持でき、ひいては、屋内の消火栓設備内等に収納・設置することが容易である消防ホースの輸送用包装体を提供することにある。
【課題を解決するための手段】
【００１０】
上述した目的を達成する本発明の消防ホースの輸送用包装体は、以下の（１）の構成を有する。
（１）ホース長さ方向に折り畳みされた状態で櫛歯状の掛け具に掛けられて消火栓設備内に収納される消防ホースの輸送用包装体であり、ホース長さ方向に折り畳みされた状態で、少なくともテープ長さ方向と直角な方向に引裂き易い易引裂き性フィルムテープにより結束されて固定されていることを特徴とする消防ホースの輸送用包装体。
【００１１】
かかる本発明の消防ホースの輸送用包装体において、より好ましくは、以下の（２）の構成を有する。
（２）前記易引裂き性フィルムテープにより結束されて固定されている箇所が２ケ所であることを特徴とする上記（１）記載の消防ホースの輸送用包装体。
【発明の効果】
【００１２】
請求項１にかかる本発明の消防ホースの輸送用包装体によれば、ホース長さ方向に折り畳みされた状態で櫛歯状の掛け具に掛けられて屋内の消火栓設備内等に収納される消防ホースを出荷輸送する際、輸送時に加わる梱包箱内での消防ホースの移動によって生ずる衝撃や外部から加わる振動等を受けても該折り畳みされた状態を良好に結束して固定的に維持でき、また、該折り畳みされた固定的な状態を解放することも、少なくともテープ長さ方向と直角な方向に引裂き易い易引裂き性フィルムテープに使用して結束しているため、手指を使って該易引裂き性フィルムテープを引き裂くことにより簡単にできる。
【００１３】
その結果、屋内の消火栓設備内に、櫛歯状の掛け具に掛けて収納・設置をするのに良好な作業性を呈して消火栓内への消防ホースの設置作業をすることができるようになる。
【００１４】
請求項２記載の本発明の消防ホースの輸送用包装体によれば、請求項１記載の発明の上記効果をそのまま有するとともに、より一層、作業性良く消火栓内への消防ホースの設置作業をすることができる。
【図面の簡単な説明】
【００１５】
【図１】本発明の消防ホースの輸送用包装体の一実施態様例を示した外観斜視図である。
【発明を実施するための形態】
【００１６】
以下、更に詳しく本発明の消防ホースの輸送用包装体について、図面等を参照しながら説明する。
【００１７】
図１に示したように、本発明の消防ホースの輸送用包装体１は、ホース長さ方向に折り畳みされた状態で櫛歯状の掛け具に掛けられて消火栓設備内に収納される消防ホース２の輸送用包装体であり、ホース長さ方向に折り畳みされた状態で、少なくともテープ長さ方向と直角な方向に引裂き易い易引裂き性フィルムテープ３Ａ、３Ｂにより結束されて固定されていることを特徴とする。
【００１８】
ここで、「少なくともテープ長さ方向と直角な方向に引裂き易い易引裂き性フィルムテープ」とは、例えば、商品名「マジックカット」（登録商標（旭化成パックス株式会社））テープとして市販されている合成樹脂製テープが代表的なものであり、該テープの長さ方向に引き裂こうとしても通常の手指の力だけでは引き裂けず、必要十分な引き裂き強力を有していて、一方で、該テープの長さ方向と直角な方向には、小学生くらいの手指の力があれば簡単に引裂けるという、引き裂きのし易さに方向性があるものをいう。該テープとしては、例えば、近年、持ち帰り弁当や駅弁などの帯封用に使用されている上述した特徴を有する透明な易引裂き性フィルムテープが該当するものである。
【００１９】
本発明の消防ホースの輸送用包装体１は、図１に示したように、消防ホース２が、ホース長さ方向に折り畳みされた状態で、上述した易引裂き性フィルムテープ３Ａ、３Ｂにより結束されて固定化されている。結束をするに際して、該易引裂き性フィルムテープ３Ａ、３Ｂの両端は熱でシールされており、該シール部は容易には剥がれないので、該結束固定状態は輸送中でも良好に維持される。
【００２０】
そして、輸送がされた後、本発明の消防ホースは、屋内の消火栓設備内などの櫛歯状のホース掛け具に該消防ホースの折り畳み端部４が一つ一つ掛けられて、消火栓設備内などに収納・設置される。
【００２１】
本来、出荷時の折り畳み状態は、それが収納される屋内の消火栓設備内等の櫛歯状の掛け具および該設備の空間スペースに適合するように形成されているものなので、該出荷時の折り畳み状態がそのまま維持されていれば、屋内消火栓設備の櫛歯に適切に掛けることができて、将来あり得る緊急使用時などでも問題なく操作できるように、正確に収納・設置をすることが非常に簡単にできる。
【００２２】
易引裂き性フィルムテープ３Ａ、３Ｂによる結束状態は、その櫛歯状のホース掛け具に該消防ホースの折り畳み端部４を一個一個掛けていく際、あるいは掛け終わった際などに手指で容易に引き裂いて結束を解除すればよい。
【００２３】
あるいは、設置作業にあたり、図１のように、２箇所等の複数の易引裂き性フィルムテープ３Ａ、３Ｂで結束して留めている場合などでは、櫛歯に通すホース折り畳み端部４側に位置する易引裂き性フィルムテープ３Ａを、特に切断することなく、中央側にずらしてホース掛け具に掛ける作業をしやすくして作業を行ってもよい。そうした場合などには、消防ホースの収納・設置作業が終わった後も、該易引裂き性フィルムテープ３Ａ、３Ｂの結束状態を解放せずにそのままの状態にしておいてもよい。すなわち、本発明によれば、該易引裂き性フィルムテープ３Ａ、３Ｂの結束状態を解放せずにそのままの状態にした場合でも、緊急時に対応してホースを使用する際には、該易引裂き性フィルムテープ３Ａ、３Ｂがホースを引き出す際には引きちぎられてしまうので、あるいは、手指を使ったとしてもわずかな動作で道具も使わずに引きちぎられてしまうので、消防ホース操作に支障が生ずることがない。
【００２４】
図１において、５と６は消防ホース接続口金（雌、雄）であり、これらの接続口金を介してもう１本の同様の消防ホースの輸送用包装体１と連結されて、２本一単位で一体的になされて梱包されて輸送に供されてもよい。本発明の消防ホースの輸送用包装体１は、図１に示した状態で、さらにカバーがかけられて、あるいは、梱包箱に収納されて輸送される。
【００２５】
易引裂き性フィルムテープ３の幅は、幅が大きすぎると引き裂きがしにくくなるので、４〜５ｃｍ以内で２ｃｍ以上程度とすることが好ましい。図１に示したように、そのような幅の易引裂き性フィルムテープ３Ａ、３Ｂを使用して、２箇所など、複数の箇所で結束するのがよい。予期せぬ事態で１箇所の易引裂き性フィルムテープ３が切れてしまっても、もう一つの箇所で易引裂き性フィルムテープ３の結束状態が維持されていれば、その後の取り扱い性を損なうことなく輸送することができるからである。
【００２６】
易引裂き性フィルムテープ３Ａ、３Ｂは、無色透明なものでもよいが、着色されているものでもよい。２箇所など、複数の箇所で結束する場合には、互いに着色する色を変えて、例えば、櫛歯に通すホース端部側あるいは天地などを指し示すように構成してもよい。
【００２７】
本発明の消防ホースの輸送用包装体は、出荷時における輸送の場合に限られず、緊急必要時に対応して折り畳み消防ホースを移送するときなどでも有効に使用できるものである。
【符号の説明】
【００２８】
１：消防ホースの輸送用包装体
２：消防ホース
３Ａ、３Ｂ：易引裂き性フィルムテープ
４：櫛歯に通すホース折り畳み端部
５、６：消防ホース接続口金（雌、雄）
【図１】
2014212845.tif 000003